(57)【要約】【課題】  液晶表示装置内の無駄な空間を利用することで更に薄型化した液晶表示装置を提供する。【解決手段】  液晶表示装置8は、液晶板21と、当該液晶板21を制御するドライバ22と、液晶板21を狭持する上ガラス23と下ガラス24とを備える液晶表示部15と、バックライト光源31と、当該バックライト光源31に一面が接続しており平坦面から液晶表示部15に光を射出する導光板32と、当該導光板32からの射出光を拡散させる複数枚の拡散シート34,35,36とを備えるバックライト部16とを備え、ドライバ22は上ガラス23に取り付けられていることを特徴とする。【選択図】      図４
2007163714.tif 000002
【特許請求の範囲】
【請求項１】
液晶板と、当該液晶板を制御するドライバと、前記液晶板を狭持する上ガラスと下ガラスとを備える液晶表示部と、
バックライト光源と、当該バックライト光源に対して入射面を配置しており当該入射面から入射した光を前記入射面と垂直な平坦面から前記液晶表示部に光を射出する導光板と、当該導光板からの射出光を拡散させる複数枚のシートとを備えるバックライト部とを備え、
前記ドライバは、前記上ガラスに取り付けられていることを特徴とする液晶表示装置。
【請求項２】
前記導光板は、前記バックライト光源との入射面近傍から前記平坦面に向かってテーパー部を有しており、前記バックライト光源と接続している部分の厚さと平坦面の厚さには差を有することを特徴とする請求項１に記載の液晶表示装置。
【請求項３】
前記液晶表示部は、液晶フレームを有し、当該液晶表示フレームは前記バックライト光源が位置するための切り抜きを有することを特徴とする請求項１又は請求項２に記載の液晶表示装置。
【請求項４】
撮像レンズと、フラッシュと、液晶表示装置と、各種選択入力キーとを有し、
前記液晶表示装置は、液晶板と、当該液晶板を制御するドライバと、前記液晶板を狭持する上ガラスと下ガラスとを備える液晶表示部と、バックライト光源と、当該バックライト光源に対して入射面を配置しており当該入射面から入射した光を前記入射面と垂直な平坦面から液晶表示部に光を射出する導光板と、当該導光板からの射出光を拡散させる複数枚のシートとを備えるバックライト部とを備え、
前記ドライバは、前記上ガラスに取り付けられていることを特徴とするカメラ。
【請求項５】
前記導光板は、前記バックライト光源との入射面近傍から前記平坦面に向かってテーパー部を有しており、前記バックライト光源と接続している部分の厚さと平坦面の厚さには差を有することを特徴とする請求項４に記載のカメラ。
【請求項６】
前記液晶表示部は、液晶フレームを有し、当該液晶フレームは前記バックライト光源が位置するための切り抜きを有することを特徴とする請求項４又は請求項５に記載のカメラ。
【発明の詳細な説明】
【技術分野】
【０００１】
本発明は、液晶表示装置及び当該液晶表示装置を備えたカメラに関するものである。
【背景技術】
【０００２】
近年、デジタル式のカメラは小型化の傾向にあり、手の平サイズ又はカードサイズにまで小型化している。このような小型のカメラでは、カメラの内部に収納されている機器を小型化することでよりカメラを小型にするよう試みられている。例えば、近年のカメラの多くに取り付けられている液晶表示装置等も小型化傾向にある機器の一つである。
【０００３】
この液晶表示装置を小型化するといっても、実際の画面を小さくしてしまうと撮影者にとっては見難くなるのみであり、不便さを覚えてしまうため、画面のサイズは大型化が要求されており、しかも、徐々に大型化する画面のサイズとは裏腹に小型化するカメラに収納できるよう液晶表示装置全体としては小型化するという困難な問題点を抱えている。そこで、液晶表示装置全体をできる限り薄型に成形することでこのような問題点を解決しようとされている。
【０００４】
例えば、特開２００５−５０７４３号公報（引用文献１）では、液晶表示装置のバックライト部の有する導光板をバックライト光源近傍と射出面とで段差を設けて成形し、射出面側を薄型にすることでバックライト光源近傍と射出面の段差部に拡散シートやプリズムシートを配置することで薄型化を実現する提案がなされている。
【特許文献１】特開２００５−５０７４３号公報
【発明の開示】
【発明が解決しようとする課題】
【０００５】
しかし、上述したような薄型の液晶表示装置では、バックライト部の薄型化を実現することはできているが、画像を表示する画像表示部側では、上ガラスと下ガラスと液晶板を薄型にすることは困難であるため、従来の画像表示部と同様の厚みを必要としていた。又、液晶板を制御する薄型のドライバを下ガラスに固定して、液晶表示部用のフレームと下ガラスの間の空間に薄型のドライバを配置しているため、液晶表示部用のフレームと下ガラスの間の空間に無駄な空間が存在していた。
【０００６】
本発明は、上述したような従来技術の問題点に鑑みてなされたものであり、液晶表示装置内の無駄な空間を無くすことで、更に薄型化した液晶表示装置を提供し、又、当該液晶表示装置を利用した小型のカメラを提供することを目的としている。
【課題を解決するための手段】
【０００７】
本発明の液晶表示装置(8)は、液晶板(21)と、当該液晶板(21)を制御するドライバ(22)と、液晶板(21)を狭持する上ガラス(23)と下ガラス(24)とを備える液晶表示部(15)と、バックライト光源(31)と、当該バックライト光源(31) に対して入射面を配置しており当該入射面から入射した光を入射面と垂直な平坦面から液晶表示部(15)に光を射出する導光板(32)と、当該導光板(32)からの射出光を拡散させる複数枚のシート(34,35,36)とを備えるバックライト部(16)とを備え、ドライバ(22)は上ガラス(23)に取り付けられていることを特徴とするものである。
【０００８】
又、この導光板(32)は、バックライト光源（31）との入射面近傍から平坦面に向かってテーパー部を有しており、バックライト光源（31）と接続している部分の厚さと平坦面の厚さには差を有するものである。そして、液晶表示部(15)は、液晶フレーム(39)を有し、当該液晶フレーム(39)はバックライト光源(31)が位置するための切り抜きを有することを特徴とするものである。
【０００９】
又、本発明のカメラ(1)は、撮像レンズ(3)と、フラッシュ(4)と、液晶表示装置(8)と、各種選択入力キーとを有し、液晶表示装置(8)は、液晶板(21)と、当該液晶板(21)を制御するドライバ(22)と、液晶板(21)を狭持する上ガラス(23)と下ガラス(24)とを備える液晶表示部(15)と、バックライト光源(31)と、当該バックライト光源(31) に対して入射面を配置しており当該入射面から入射した光を入射面と垂直な平坦面から液晶表示部(15)に光を射出する導光板(32)と、当該導光板(32)からの射出光を拡散させる複数枚のシート(34,35,36)を備えるバックライト部(16)とを備え、ドライバ(22)は上ガラス(23)に取り付けられているものである。
【発明の効果】
【００１０】
本発明によれば、液晶表示装置内の無駄な空間を無くすことで、更に薄型化した液晶表示装置を提供し、又、当該液晶表示装置を利用した小型のカメラを提供することができ、又、当該液晶表示装置を利用した小型のカメラを提供することができる。
【発明を実施するための最良の形態】
【００１１】
本発明の最良の形態のカメラ1は、撮像レンズ3と、フラッシュ4と、液晶表示装置8と、各種選択入力キーとするメニューボタン9や方向キー等10とを有し、液晶表示装置8は、液晶表示部15とバックライト部16を備えている。
【００１２】
この液晶表示部15は、液晶板21と、液晶板21を制御するドライバ22と、液晶板21を狭持する上ガラス23と下ガラス24とを備えており、ドライバ22は上ガラス23に取り付けられている。又、上ガラス23と下ガラス24の周縁を覆うように液晶フレーム25が取り付けられている。この液晶フレーム25には、後述するバックライト光源31の一部が液晶フレーム25内に挿入されるための切り抜きが成形されている。尚、下ガラス24は、ドライバ22とバックライト光源31が位置する側の面から対向する面までの長さは、上ガラス23の対応する長さより短く成形されており、これにより上ガラス23と液晶フレーム25との間に空間バックライト光源31が貫通して位置することができる空間が設けられることになる。
【００１３】
又、バックライト部16は、バックライト光源31と、当該バックライト光源31に対して入射面を配置しており当該入射面から入射した光を入射面と垂直な平坦面から液晶表示部15に光を射出する導光板32と、当該導光板32からの射出光を拡散させる複数枚のシート34,35,36とを備えている。そして、導光板32は、バックライト光源31との入射面近傍から平坦面に向かってテーパー部を有しており、バックライト光源31と接続している部分の厚さと平坦面の厚さには差を有している。又、バックライト光源31の上部は、上述した液晶フレーム25の切り抜きを貫通してドライバ22近傍に位置している。
【００１４】
本最良の実施の形態によれば、ドライバと液晶フレームの間の空間を無駄なく利用することができ、又、導光板32を薄く成形したために複数枚のシートと導光板の合計の厚さがをバックライト光源の高さを下回ることになり、バックライト光源の大きさが変わらない場合でも薄型の液晶表示装置及び、当該液晶表示装置を利用したカメラを提供することができる。
【実施例】
【００１５】
以下、本発明の実施例を図に基づいて詳説する。本実施例のカメラは、図１に示すように、カメラ筐体1の正面に、レンズカバー2、撮像レンズ3、フラッシュ4、オートフォーカス用のオートフォーカス光源5が配設されている。又、上面には、シャッターボタン6、電源ボタン7が配設されている。一方、デジタルカメラの裏面には、図２に示すように、液晶表示装置8と、各種選択入力キーであるメニューボタン9や方向キー10等とが適宜配設されている。
【００１６】
そして、このカメラ筐体1の内部には、図示していないカメラ制御手段としてのマイクロコンピュータやＣＣＤなどを用いた撮像素子、バッテリーやメモリーチップなどを内蔵するものである。
【００１７】
又、このカメラに組み込まれる液晶表示装置8は、図３に示すように、液晶表示部15とバックライト部16とから構成されている。そして、液晶表示部15は、図４に示すように、液晶板21と、液晶板21を制御するドライバ22と、液晶板21を保護する上ガラス23と、液晶板21を上ガラス23と共に狭持する下ガラス24とを備え、外周縁を液晶フレーム25により覆われている。
【００１８】
この液晶板21は、方形状の薄膜であり、上ガラス23と下ガラス24に狭持される状態で配置されている。この液晶板21はドライバ22からの信号を受けて投影画像や、メニュー画面等を表示するものである。そして、この液晶板21は非常に薄く、精密なものであるため、弱い力が加わるだけでも破損する程繊細なものである。尚、液晶板21のドライバ22が配置されている側以外の周縁にはスペーサー26が配置されており、上ガラス23と下ガラス24の間の距離を一定に保つと共に、液晶板21を保護している。
【００１９】
そして、上ガラス23は方形状の薄板であり、外周縁部は液晶フレーム25に接着剤や両面テープ等で取り付けられている。又、後述するバックライト光源31が位置する近傍の裏面にはドライバ22が接着剤や両面テープ等で接着されている。この上ガラス23は透明であり、液晶板21を保護すると共に偏光板の役目も果たしている。
【００２０】
又、下ガラス24は、バックライト光源31近傍に位置する面以外の３つの側面近傍を液晶フレーム25に両面テープ等で取り付けられており、上ガラス23と同様に透明で、液晶板21を保護すると共に偏光板の役目を果たしている。そして、下ガラス24は、ドライバ22及び後述するバックライト光源31が位置する側と、これらの側と対向する端面までの距離を上ガラス23の距離より短く成形している。これにより、上ガラス23と液晶フレーム25との間にドライバ22とバックライト光源31が位置するための空間ができる。
【００２１】
更に、液晶フレーム25は、断面がコの字型の４本の長棒がコの字型の開口側を内側にして方形状に組み合わさった形状である。この液晶フレーム25は、液晶表示部15の周縁を保護すると共に、上ガラス23と下ガラス24を端部で狭持するためのものであり、金属等で構成されている。又、液晶表示部15とバックライト部16が組み合わさったときに、バックライト光源31等の一部が上述した空間に挿入可能となるように、対応する位置に切り抜きを成形している。
【００２２】
そして、これらの液晶表示部25の各部材が組み合わさったとき、従来は、下ガラス24の上部にドライバ22を取り付けていたため、下ガラス24と液晶フレーム25の間に無駄な空間があったが、ドライバ22を上ガラス23に取り付け、下ガラス24を上ガラス23より小さく成形することで、上ガラス23と液晶フレーム25との間に新たな空間を設けることができ、更に、液晶フレーム25に切り抜きを成形したことで、バックライト光源の一部を収納可能となった。
【００２３】
そして、バックライト部16は、発光ダイオード等のバックライト光源31と、バックライト光源31に対して入射面を配置しており当該入射面から入射した光を入射面と垂直な平坦面から射出する導光板32と、導光板32の光を液晶表示部15側に反射する反射シート33と、導光板32からの射出光を拡散するための複数枚のシート34,35,36と、バックライト光源31の光を導光板32に導光させるための反射テープ37と、光源31からの光が直接に液晶表示部15側へ漏れるのを防ぐための遮光テープ38とを備え、バックライト筐体39にこれらを収納している。
【００２４】
このバックライト筐体39は、上面開口の箱形形状であり、光源31が位置する側の面以外の３側面は中央部に段差を成形しており、この段差は液晶表示部15とバックライト部16が組み合わさるときに液晶表示部15を係止するために設けられているものである。そして、バックライト筐体39の底面の内側には反射シート33が敷設されている。
【００２５】
そして、バックライト光源31は、発光ダイオードや冷陰極管蛍光ランプ等を用いるものであり、細長い略直方体形状である。そして、バックライト筐体39の任意の一側面近傍で反射シート33上に長手方向が側面と平行になるように設置されている。又、バックライト光源31の側面に導光板32の入射面が接続されている。
【００２６】
この導光板32は、方形状の薄板であり、バックライト光源31と接続している入射面と、液晶表示部15に光を射出する平坦面との間にテーパー部を設けることで厚さに差を設けている。具体的には、バックライト光源31側が厚く、平坦面側が薄くなるように成形されている。そして、この導光板32は、バックライト光源31との入射面から入射した光を、平坦面の全面から液晶表示部15側に向かって射出している。
【００２７】
又、導光板32からの射出光を拡散するための複数枚のシートとは、拡散シート34と、第一、第二プリズムシート35,36とからなるものであり、導光板32の平坦面上に拡散シート34、第一プリズムシート35、第二プリズムシート36の順で敷設されている。これらのシートは、導光板32からの射出光を液晶表示部15の面に均一な光を射出するために設けているものである。
【００２８】
反射テープ37は、バックライト光源31上に貼り付けられており、バックライト光源31の上面側から発光する光を反射させて導光板32側に射出するように設けているものである。又、遮光テープ38は反射テープ37に重ねるようにバックライト光源31上から導光板32のテーパー部、そして、複数枚のシート34,35,36の端部近傍までを覆うように貼り付けられている。これは、光源31の光が直接液晶表示部15側に漏れると、液晶画面の光源31近傍部分が明るくなってしまい画面内で輝度の差が発生するため、この輝度の差を防止するために設けているものである。
【００２９】
そして、液晶表示部15はバックライト筐体39の開口部側から嵌装されており、このときバックライト筐体39内のバックライト光源31の上部と、反射テープ37と、遮光テープ38が液晶フレーム25の切り抜きを貫通して、上述の上ガラス23と液晶フレーム25の間の空間に位置している。
【００３０】
これにより従来では、導光板を薄く成形しても、バックライト光源の高さは変化しないためバックライト部を薄型にするにはバックライト光源の高さまでが限界であったが、上ガラスと液晶フレームの間の空間に、液晶フレームを貫通したバックライト光源の一部を収納可能としたため、バックライト光源の高さを液晶表示部側で吸収することができ、更に薄型の液晶表示装置を提供することが可能である。つまり、従来の液晶表示装置では、バックライト光源の高さと、上ガラスの厚さと、下ガラスの厚さとの合計値が必ず必要となっていたが、本実施例の液晶表示装置8では、バックライト光源31の高さと、薄型のドライバ22の厚さと、上ガラス23の厚さとの合計値まで薄くすることができる。
【００３１】
次に、本発明の実施例の液晶表示装置の実際の数値と従来の液晶表示装置の数値とを比較する。バックライト光源は本実施例と従来例共に同一のものを用いており、厚みは０．６ｍｍである。又、導光板の平坦部の厚さは従来のものより薄く成形しており０．３ｍｍとしている。従来のものは、液晶表示部の下面からバックライト筐体の下面までの距離が０．９７ｍｍであったが、本実施例の距離lは０．６７ｍｍとなっており、０．３ｍｍ縮小することができた。
【００３２】
本実施例によれば、従来下ガラスに取り付けていたドライバを上ガラスに取り付け、これによりできた上ガラスと液晶フレームとの間の空間にバックライト部のバックライト光源等を位置させ、又、導光板の平坦面の厚さを従来より薄くすることで複数枚のシートが、導光板の平坦部の厚さとバックライト光源の高さの差の間に収納することができるようになったことにより、バックライト光源のサイズは同じものでもより薄い液晶表示装置を提供することが可能となった。
【００３３】
尚、光源のサイズがより小さくなっても同様の技術を適用することができる。又、本発明は、以上の実施例の形態に限定されるものでなく、発明の要旨を逸脱しない範囲で自由に変更、改良が可能である。
【図面の簡単な説明】
【００３４】
【図１】本発明の実施例のカメラの正面側の斜視図。
【図２】本発明の実施例のカメラの背面側の斜視図。
【図３】本発明の実施例の液晶表示装置の横断面図。
【図４】図４の液晶表示装置の部分拡大図。
【符号の説明】
【００３５】
1  カメラ                                2  レンズカバー
3  撮像レンズ                            4  フラッシュ
5  オートフォーカス光源                  6  シャッターボタン
7  電源ボタン                            8  液晶表示装置
9  メニューボタン                        10  方向キー
15  液晶表示部                           16  バックライト部
21  液晶板                               22  ドライバ
23  上ガラス                             24  下ガラス
25  液晶フレーム                         31  バックライト光源
32  導光板                               33  反射シート
34  拡散シート                           35  第一プリズムシート
36  第二プリズムシート                   37  反射テープ
38  遮光テープ                           39  バックライト筐体
【図１】
2007163714.tif 000003
【図２】
2007163714.tif 000004
【図３】
2007163714.tif 000005
【図４】
2007163714.tif 000006